(57)【要約】本発明の例示的実施形態の、限定的な意味のない一態様において、マルチメディア・ブロードキャスト／マルチメディア・サービス無線ベアラの受信を終了するためのリクエストを移動局で発生させるため；およびマルチメディア・ブロードキャスト／マルチメディア・サービス無線ベアラのソースである無線ネットワークへリクエストを伝送するための、方法、コンピュータ・プログラム、およびそれらに従って動作可能な移動局が提供される。本発明の例示的実施形態の、限定的な意味のない別の態様において、マルチメディア・ブロードキャスト／マルチメディア・サービス無線ベアラの受信を終了するためのリクエストを移動局から受信するため、およびそれに応答して移動局の識別情報と、Stop Receiving MBMS Radio Bearerと定義されたTBF_RELEASE_CAUSE値とを含むPACKET TBF RELEASEメッセージを移動局へ送信するための、方法、コンピュータ・プログラム、およびそれらに従って動作可能な無線ネットワーク・ノードが提供される。【選択図】図４
2008535353.tif 000002
【特許請求の範囲】
【請求項１】
マルチメディア・ブロードキャスト／マルチメディア・サービス無線ベアラの受信を終了するためのリクエストを、移動局で発生させることと；
前記マルチメディア・ブロードキャスト／マルチメディア・サービス無線ベアラのソースである無線ネットワークへ、前記リクエストを伝送することと
を含む方法。
【請求項２】
前記移動局は非フィードバック動作モードで動作している、請求項１に記載の方法。
【請求項３】
前記移動局はフィードバック動作モードで動作している、請求項１に記載の方法。
【請求項４】
請求項２に記載の方法であって、前記発生させることおよび前記伝送することは、(PACKET) CHANNEL REQUESTメッセージをアクセス理由「Single Block MBMS Access（単一ブロックＭＢＭＳアクセス）」と共に、前記無線ネットワークへ送信することを含み、さらに前記方法は、
アップリンク無線ブロックの割り当てを前記無線ネットワークから受けることと；
前記割り当てられたアップリンク無線ブロックにおいて、MBMS SERVICE REQUESTメッセージを前記無線ネットワークへ送信することであって、前記MBMS SERVICE REQUESTは、前記移動局の識別情報およびStop Receiving MBMS Radio Bearer（ＭＢＭＳ無線ベアラの受信停止）パラメータを含むことと；
前記移動局の前記識別情報と、Stop Receiving MBMS Radio Bearerと定義されたTBF_RELEASE_CAUSE値とを含む、PACKET TBF RELEASEメッセージを、前記無線ネットワークから受信することと
をさらに含む、方法。
【請求項５】
請求項３に記載の方法であって、前記発生させることおよび前記伝送することは、MBMS DOWNLINK ACK／NACKメッセージ中で、前記移動局の識別情報およびStop Receiving MBMS Radio Bearerパラメータを、前記無線ネットワークへ送信することを含み、さらに前記方法は、
前記移動局の前記識別情報と、Stop Receiving MBMS Radio Bearerと定義されたTBF_RELEASE_CAUSE値とを含む、PACKET TBF RELEASEメッセージを、前記無線ネットワークから受信することと
をさらに含む、方法。
【請求項６】
移動局のデータ・プロセッサにより読み取り可能な有形の記憶媒体に具現化され、プログラム命令を含むコンピュータ・プログラムであって、前記プログラム命令の実行により、
マルチメディア・ブロードキャスト／マルチメディア・サービス無線ベアラの受信を終了するためのリクエストを、移動局で発生させること；および
前記マルチメディア・ブロードキャスト／マルチメディア・サービス無線ベアラのソースである無線ネットワークへ、前記リクエストを伝送すること
を含む動作を実行させる、コンピュータ・プログラム。
【請求項７】
前記移動局は非フィードバック動作モードで動作している、請求項６に記載のコンピュータ・プログラム。
【請求項８】
前記移動局はフィードバック動作モードで動作している、請求項６に記載のコンピュータ・プログラム。
【請求項９】
前記発生動作および前記伝送動作は、(PACKET) CHANNEL REQUESTメッセージをアクセス理由「Single Block MBMS Access」と共に、前記無線ネットワークへ送信することを含み、以下の動作：
アップリンク無線ブロックの割り当てを前記無線ネットワークから受けること；
前記割り当てられたアップリンク無線ブロックにおいて、MBMS SERVICE REQUESTメッセージを前記無線ネットワークへ送信すること、ただし、前記MBMS SERVICE REQUESTは、前記移動局の識別情報およびStop Receiving MBMS Radio Bearerパラメータを含むものとすること；および
前記移動局の前記識別情報と、Stop Receiving MBMS Radio Bearerと定義されたTBF_RELEASE_CAUSE値とを含む、PACKET TBF RELEASEメッセージを、前記無線ネットワークから受信すること
を、前記プログラム命令がさらに含む、請求項７に記載のコンピュータ・プログラム。
【請求項１０】
前記発生動作および前記伝送動作は、MBMS DOWNLINK ACK／NACKメッセージ中で、前記移動局の識別情報およびStop Receiving MBMS Radio Bearerパラメータを、前記無線ネットワークへ送信することを含み、以下の動作：
前記移動局の前記識別情報と、Stop Receiving MBMS Radio Bearerと定義されたTBF_RELEASE_CAUSE値とを含む、PACKET TBF RELEASEメッセージを、前記無線ネットワークから受信すること
を、前記プログラム命令がさらに含む、請求項８に記載のコンピュータ・プログラム。
【請求項１１】
無線ネットワークと双方向通信を行うための無線送受信機と；
プログラムを格納するための記憶装置と；
前記送受信機および前記記憶装置につながれたデータ・プロセッサであって、前記プログラムを実行し、前記プログラムの実行に応じてマルチメディア・ブロードキャスト／マルチメディア・サービス無線ベアラの受信を終了するためのリクエストを発生させ、前記マルチメディア・ブロードキャスト／マルチメディア・サービス無線ベアラのソースである前記無線ネットワークへ前記リクエストを伝送するよう動作可能である、前記データ・プロセッサと
を含む移動局。
【請求項１２】
前記移動局は、非フィードバック・マルチメディア・ブロードキャスト／マルチメディア・サービス動作モードで動作する、請求項１１に記載の移動局。
【請求項１３】
前記移動局は、フィードバック・マルチメディア・ブロードキャスト／マルチメディア・サービス動作モードで動作する、請求項１１に記載の移動局。
【請求項１４】
前記データ・プロセッサは、前記リクエストの発生および伝送の動作をするとき、リクエスト・メッセージをアクセス理由「Single Block MBMS Access」と共に前記無線ネットワークへ送信し、さらに、前記無線ネットワークからアップリンク無線ブロックの割り当てを受け；前記割り当てられたアップリンク無線ブロックにおいてMBMS SERVICE REQUESTメッセージを前記無線ネットワークへ送信し、ただし前記MBMS SERVICE REQUESTは前記移動局の識別情報およびStop Receiving MBMS Radio Bearerパラメータを含むものとし；前記移動局の前記識別情報と、Stop Receiving MBMS Radio Bearerと定義されたTBF_RELEASE_CAUSE値とを含むPACKET TBF RELEASEメッセージを、前記無線ネットワークから受信するように動作する、請求項１２に記載の移動局。
【請求項１５】
前記データ・プロセッサは、前記リクエストの発生および伝送の動作をするとき、MBMS DOWNLINK ACK／NACKメッセージ中で、前記移動局の識別情報およびStop Receiving MBMS Radio Bearerパラメータを前記無線ネットワークへ送信し、さらに、前記移動局の前記識別情報と、Stop Receiving MBMS Radio Bearerと定義されたTBF_RELEASE_CAUSE値とを含むPACKET TBF RELEASEメッセージを、前記無線ネットワークから受信するように動作する、請求項１３に記載の移動局。
【請求項１６】
マルチメディア・ブロードキャスト／マルチメディア・サービス無線ベアラの受信を終了するためのリクエストを移動局から受信することと；
それに応答して、前記移動局の識別情報と、Stop Receiving MBMS Radio Bearerと定義されたTBF_RELEASE_CAUSE値とを含む、PACKET TBF RELEASEメッセージを、前記移動局へ送信することと
を含む方法。
【請求項１７】
請求項１６に記載の方法であって、前記移動局が非フィードバック動作モードで動作している場合、前記リクエストは、(PACKET) CHANNEL REQUESTメッセージとしてアクセス理由「Single Block MBMS Access」と共に受信され、さらに、
アップリンク無線ブロックを前記移動局へ割り当てることと；
前記割り当てられたアップリンク無線ブロックにおいて、前記移動局の前記識別情報およびStop Receiving MBMS Radio Bearerパラメータを含む、MBMS SERVICE REQUESTメッセージを受信することと；
を含み、
前記PACKET TBF RELEASEメッセージを送信することは、前記MBMS SERVICE REQUESTメッセージの前記受信に応答して起こる、方法。
【請求項１８】
前記移動局がフィードバック動作モードで動作している場合、前記リクエストは、Stop Receiving MBMS Radio Bearerパラメータを含むMBMS DOWNLINK ACK／NACKメッセージ中で受信され、前記PACKET TBF RELEASEメッセージを送信することは、前記MBMS DOWNLINK ACK／NACKメッセージの前記受信に応答して起こる、請求項１６に記載の方法。
【請求項１９】
無線ネットワーク・ノードのデータ・プロセッサにより読み取り可能な有形の記憶媒体に具現化され、複数のプログラム命令を含むコンピュータ・プログラムであって、前記プログラム命令の実行により
マルチメディア・ブロードキャスト／マルチメディア・サービス無線ベアラの受信を終了するためのリクエストを移動局から受信すること；および
それに応答して、前記移動局の識別情報と、Stop Receiving MBMS Radio Bearerと定義されたTBF_RELEASE_CAUSE値とを含む、PACKET TBF RELEASEメッセージを、前記移動局へ送信すること
を含む動作を実行させる、コンピュータ・プログラム。
【請求項２０】
前記移動局が非フィードバック動作モードで動作している場合、前記リクエストは、(PACKET) CHANNEL REQUESTメッセージとしてアクセス理由「Single Block MBMS Access」と共に受信され、以下の動作：
アップリンク無線ブロックを前記移動局へ割り当てること；および
前記割り当てられたアップリンク無線ブロックにおいて、前記移動局の前記識別情報およびStop Receiving MBMS Radio Bearerパラメータを含む、MBMS SERVICE REQUESTメッセージを受信すること；
を前記プログラム命令がさらに含み、
前記PACKET TBF RELEASEメッセージの前記送信は、前記MBMS SERVICE REQUESTメッセージの前記受信に応答して起こる、請求項１９に記載のコンピュータ・プログラム。
【請求項２１】
前記移動局がフィードバック動作モードで動作している場合、前記リクエストは、Stop Receiving MBMS Radio Bearerパラメータを含むMBMS DOWNLINK ACK／NACKメッセージ中で受信され、前記PACKET TBF RELEASEメッセージの前記送信は、前記MBMS DOWNLINK ACK／ＮＡＫメッセージの前記受信に応答して起こる、請求項１９に記載のコンピュータ・プログラム。
【請求項２２】
移動局と双方向通信を行うための無線送受信機と；
プログラムを格納するための記憶装置と；
前記送受信機および前記記憶装置につながれたデータ・プロセッサであって、前記プログラムを実行し、前記プログラムの実行に応答してマルチメディア・ブロードキャスト／マルチメディア・サービス無線ベアラの受信を終了するためのリクエストを、前記移動局から受信し、
前記受信に応答して、前記移動局の識別情報と、Stop Receiving MBMS Radio Bearerと定義されたTBF_RELEASE_CAUSE値とを含む、PACKET TBF RELEASEメッセージを、前記移動局へ送信するように動作可能である、前記データ・プロセッサと
を含む、無線ネットワーク・ノード。
【請求項２３】
前記移動局が非フィードバック動作モードで動作している場合、前記リクエストは、(PACKET) CHANNEL REQUESTメッセージとしてアクセス理由「Single Block MBMS Access」と共に受信され、前記データ・プロセッサは、アップリンク無線ブロックを前記移動局へ割り当てて、前記割り当てられたアップリンク無線ブロックにおいて、前記移動局の前記識別情報およびStop Receiving MBMS Radio Bearerパラメータを含むMBMS SERVICE REQUESTメッセージを受信するように、さらに動作可能であり；前記PACKET TBF RELEASEメッセージの前記送信は、前記MBMS SERVICE REQUESTメッセージの前記受信に応答して起こる、請求項２２に記載の無線ネットワーク・ノード。
【請求項２４】
前記移動局がフィードバック動作モードで動作している場合、前記リクエストは、Stop Receiving MBMS Radio Bearerパラメータを含むMBMS DOWNLINK ACK／NACKメッセージ中で受信され、前記データ・プロセッサは、前記MBMS DOWNLINK ACK／ＮＡＫメッセージの前記受信に応答して前記PACKET TBF RELEASEメッセージを送信するように動作可能である、請求項２２に記載の無線ネットワーク・ノード。
【請求項２５】
マルチメディア・ブロードキャスト／マルチメディア・サービスＭＢＭＳ動作モードで移動局を動作させるための方法であって、前記方法は、
マルチメディア・ブロードキャスト／マルチメディア・サービス無線ベアラの受信を終了するためのリクエストを、前記移動局で発生させることと；
前記マルチメディア・ブロードキャスト／マルチメディア・サービス無線ベアラのソースである無線ネットワークへ、前記リクエストを伝送することと
を含み、
前記移動局が非フィードバック動作モードで動作している場合、前記発生させることおよび前記伝送することは、アップリンク無線ブロックをリクエストするためのリクエスト・メッセージを前記無線ネットワークへ送信することを含み、前記方法はさらに、
アップリンク無線ブロックの割り当てを前記無線ネットワークから受けることと；
前記割り当てられたアップリンク無線ブロックにおいて、MBMS SERVICE REQUESTメッセージを前記無線ネットワークへ送信することであって、前記MBMS SERVICE REQUESTは、前記移動局の識別情報およびStop Receiving MBMS Radio Bearerパラメータを含むことと；
前記移動局の前記識別情報と、Stop Receiving MBMS Radio Bearerと定義されたTBF_RELEASE_CAUSE値とを含む、PACKET TBF RELEASEメッセージを、前記無線ネットワークから受信することと；
を含み、
前記移動局がフィードバック動作モードで動作している場合、前記発生させることおよび前記伝送することは、フィードバック関連メッセージ中で、前記移動局の識別情報およびStop Receiving MBMS Radio Bearerパラメータを前記無線ネットワークへ送信することを含み、前記方法は、さらに、前記移動局の前記識別情報と、Stop Receiving MBMS Radio Bearerと定義されたTBF_RELEASE_CAUSE値とを含む、前記PACKET TBF RELEASEメッセージを、前記無線ネットワークから受信することを含む、方法。
【請求項２６】
前記リクエスト・メッセージは、アクセス理由「Single Block MBMS Access」を伴う(PACKET) CHANNEL REQUESTメッセージである、請求項２５に記載の方法。
【請求項２７】
前記フィードバック関連メッセージはMBMS DOWNLINK ACK／NACKメッセージである、請求項２５に記載の方法。
【発明の詳細な説明】
【技術分野】
【０００１】
本発明の例は、全般的にデジタル無線通信のシステムおよびデバイスに関し、特に、マルチメディア・ブロードキャスト／マルチメディア・サービス（ＭＢＭＳ：Multimedia Broadcast/Multimedia Service）動作モードにおける移動局（ＭＳ：mobile station）の動作に関する。
【背景技術】
【０００２】
ＭＢＭＳは、単一のソース・エンティティから特定のエリア内のユーザ・グループへデータが伝送される、単方向ポイント・ツー・マルチポイント（Ｐ−ｔ−Ｍ：Point-to-Multipoint）のマルチキャスト／ブロードキャスト・サービスである。ＭＢＭＳには、単一のソース・エンティティからサービス・エリア内の多数のユーザに対する、マルチメディア・データ（テキスト、音声、画像、ビデオなど）の、単方向ポイント・ツー・マルチポイント伝送および双方向ポイント・ツー・ポイント伝送という選択肢も含まれ得る。本願明細書では、所定のＭＢＭＳサービスのサービス・エリアは、そのサービスを利用できる地理的エリア（つまり、一組のセル）のこととして理解されるものとする。そのため、ＭＢＭＳの目的は、無線マルチキャストとして、無線インタフェースを通じた単一伝送で、ポイント・ツー・ポイント（Ｐ−ｔ−Ｐ：Point-to-Point）サービスの多重インスタンスを提供できるようにすることである。
【０００３】
ＭＢＭＳに関しては、内容全体を参照によって本願明細書に引用したものとする、3GPP TS 23.246、V.6.4.0（2004年9月）「マルチメディア・ブロードキャスト／マルチキャスト・サービス（MBMS）；構造および機能の説明（Multimedia Broadcast/Multicast Service (MBMS); Architecture and Functional Description）」（リリース6）という文献を参照するとよい。
【０００４】
ＭＢＭＳは、ブロードキャスト・モードおよびマルチキャスト・モードという、２つの動作モードを有する。この２つのモード間にある１つの重要な相違点は、ブロードキャスト・モードではサービス・エリア内の全ＭＢＭＳユーザが対象にされる一方、マルチキャスト・モードではサービス・エリア内のＭＢＭＳユーザの部分集合のみを処理できるということである。マルチキャスト・モードでは一般的に、ユーザが、サービスを受ける前にマルチキャスト・グループにサブスクライブする必要がある。
【０００５】
ＭＢＭＳマルチキャスト・サービスの受信は、図１に示されている特定の手順により可能になる。この図は、上記の3GPP TS 23.246, V.6.4.0（2004年9月）という文献の従属節４．４．１、「マルチキャスト・モード（Multicast Mode）」にある図２を写したものである。
【０００６】
ＭＢＭＳブロードキャスト・サービスの提供段階の例が、図２に示されている。この図は、上記の3GPP TS 23.246, V.6.4.0（2004年9月）という文献の従属節４．４．３、「ブロードキャスト・モード（Broadcast Mode）」にある図４を写したものである。
【０００７】
ここで、ＭＢＭＳリソースの従来通りの解放、および、離脱または終了の手順について説明する。内容全体を参照によって本願明細書に引用したものとする、3GPP TS 44.060、「無線リンク制御／媒体アクセス制御（RLC/MAC）プロトコル；ステージ3（Radio Link Control/Medium Access Control (RLC/MAC) protocol; Stage 3)」の従属節８．１．４．４で述べられているとおり、ＭＢＭＳ無線ベアラの解放を開始できるのはネットワークのみである。より正確には、「ネットワークは、ＰＡＣＣＨ（PACKET Associated Control Channel：パケット関連制御チャネル）上で、PACKET TBF RELEASEメッセージを移動局（単数または複数）へ伝送することで、ＭＢＭＳ無線ベアラの正常解放または異常解放を開始するとよい」と述べられている。ＴＢＦとは、テンポラリ・ブロック・フロー（Temporary Block Flow）のことである。同従属節で、ＭＳは、ＭＢＭＳベアラ（単数または複数）を１つでも受信している場合、常にブロードキャスト／マルチキャスト受信モードのままでなければならない、と述べられている。より正確には、「ブロードキャスト／マルチキャスト受信モードにある移動局が他のＭＢＭＳ無線ベアラを全く受信していない場合、移動局はパケット・アイドル・モードに入り、従属節５．５．１．５に明記されている通りＤＲＸモードの手順を適用しなければならないが、そうでない場合は、移動局はブロードキャスト／マルチキャスト受信モードのままでなければならない」と述べられている。
【０００８】
ユーザが、任意のＭＢＭＳサービス（単数または複数）を受信することを望む場合も、または受信しないことを望む場合も、この要件には従わなければならない。ユーザがどのＭＢＭＳサービス（単数または複数）の受信も望まない場合でも、ＭＳはダウンリンクでＭＢＭＳサービスを受信し、ネットワークにより命令されればアップリンクでフィードバックを送信することまでも要求される場合もある。
【０００９】
上記の、3GPP TS 23.246 V.6.4.0（2004年9月）という文献によると、サブスクライバは「離脱」手順でマルチキャスト・グループから離脱する（つまり、メンバーでなくなる）。これはつまり、ユーザが特定のＭＢＭＳベアラ・サービスのマルチキャスト・モードのデータ受信を望まないということである。ＭＳの観点からすれば、離脱手順は、ＭＢＭＳベアラ・サービスの受信を停止するための解決策であるとも考えられ得る。しかし、従来の離脱手順は、それを使用することによって無線アクセス・ネットワークおよびコア・ネットワークの両方における信号伝達量が膨大になってしまうため、頻繁に繰り返されるＭＢＭＳサービス／セッション（単数または複数）には適さない。
【００１０】
汎用パケット無線サービス（ＧＰＲＳ：General PACKET Radio Service）の通常の動作によると、セルの再選択などの場合で、ダウンリンクＴＢＦが割り当てられている状態で移動局から発生する解放においては、ＭＳは単にチャネルを離脱する。しかし、例えば、ＭＳがフィードバック動作モードにあり、ネットワークがＭＳからのアップリンク伝送の受信を待っていることもあるため、ＭＢＭＳでこの種の動作を使用することは好ましくない。
【００１１】
このような状況を考慮すると、ＭＳの不必要な電池消耗、ネットワークにおける信号伝達負荷の増大、およびサブスクライバ・サービスの満足度の低下など、望ましくない結果が色々と生じる可能性がある。
【００１２】
【非特許文献１】3GPP TS 23.246、V.6.4.0（2004年9月）「マルチメディア・ブロードキャスト／マルチキャスト・サービス（MBMS）；構造および機能の説明（Multimedia Broadcast/Multicast Service (MBMS); Architecture and Functional Description) （リリース6）」
【非特許文献２】3GPP TS 44.060、「無線リンク制御／媒体アクセス制御（RLC/MAC）プロトコル；ステージ3（Radio Link Control/Medium Access Control (RLC/MAC) protocol; Stage 3)」
【本発明の例示的実施形態の概要】
【００１３】
本発明の例示的実施形態に基づき、前述の問題およびその他の問題が打開され、他の利点が実現される。
【００１４】
本発明の例示的実施形態の、限定的な意味のない一態様において、マルチメディア・ブロードキャスト／マルチメディア・サービス無線ベアラの受信を終了するためのリクエストを移動局で発生させること；および、マルチメディア・ブロードキャスト／マルチメディア・サービス無線ベアラのソースである無線ネットワークへリクエストを伝送することを含む方法が提供される。
【００１５】
本発明の例示的実施形態の、限定的な意味のない別の態様において、移動局のデータ・プロセッサにより読み取り可能な有形の記憶媒体に具現化された、コンピュータ・プログラムが提供される。このコンピュータ・プログラムは複数のプログラム命令を含み、このプログラム命令を実行すると、マルチメディア・ブロードキャスト／マルチメディア・サービス無線ベアラの受信を終了するためのリクエストを移動局で発生させること；および、マルチメディア・ブロードキャスト／マルチメディア・サービス無線ベアラのソースである無線ネットワークへリクエストを伝送することを含む動作が実行される。
【００１６】
本発明の例示的実施形態の、限定的な意味のない別の態様において、無線ネットワークと双方向通信を行うための無線送受信機；プログラムを格納するための記憶装置；ならびに送受信機および記憶装置につながれたデータ・プロセッサを含む移動局が提供される。データ・プロセッサは、プログラムを実行し、プログラムの実行に応答してマルチメディア・ブロードキャスト／マルチメディア・サービス無線ベアラの受信を終了するリクエストを発生させ、マルチメディア・ブロードキャスト／マルチメディア・サービス無線ベアラのソースである無線ネットワークへリクエストを伝送するように動作可能である。
【００１７】
本発明の例示的実施形態の、限定的な意味のないさらなる態様において、マルチメディア・ブロードキャスト／マルチメディア・サービス無線ベアラの受信を終了するためのリクエストを移動局から受信すること、および、それに応答して、移動局の識別情報と、Stop Receiving MBMS Radio Bearer（ＭＢＭＳ無線ベアラの受信停止）と定義されたTBF_RELEASE_CAUSE値とを含むPACKET TBF RELEASEメッセージを、移動局へ送信することを含む方法が提供される。
【００１８】
本発明の例示的実施形態の、限定的な意味のないさらに別の態様において、無線ネットワーク・ノードのデータ・プロセッサにより読み取り可能な有形の記憶媒体に具現化された、コンピュータ・プログラムが提供される。コンピュータ・プログラムは複数のプログラム命令を含み、このプログラム命令を実行すると、マルチメディア・ブロードキャスト／マルチメディア・サービス無線ベアラの受信を終了するためのリクエストを移動局から受信すること、ならびに、それに応答して、移動局の識別情報と、Stop Receiving MBMS Radio Bearerと定義されたTBF_RELEASE_CAUSE値とを含むPACKET TBF RELEASEメッセージを、移動局へ送信することを含む動作が実行される。
【００１９】
本発明の例示的実施形態の、限定的な意味のないさらに別の一態様において、移動局と双方向通信を行うための無線送受信機；プログラムを格納するための記憶装置、ならびに送受信機および記憶装置につながれたデータ・プロセッサを含む無線ネットワーク・ノードが提供される。データ・プロセッサは、プログラムを実行し、プログラムの実行に応答して、マルチメディア・ブロードキャスト／マルチメディア・サービス無線ベアラの受信を終了するためのリクエストを移動局から受信し、それに応答して、移動局の識別情報と、Stop Receiving MBMS Radio Bearerと定義されたTBF_RELEASE_CAUSE値とを含むPACKET TBF RELEASEメッセージを、移動局へ送信するように動作可能である。
【００２０】
本発明の例示的実施形態の、限定的な意味のないさらなる態様において、マルチメディア・ブロードキャスト／マルチメディア・サービスＭＢＭＳ動作モードにおいて移動局を動作させるための方法が提供される。この方法は、マルチメディア・ブロードキャスト／マルチメディア・サービス無線ベアラの受信を終了するためのリクエストを移動局で発生させること、および、マルチメディア・ブロードキャスト／マルチメディア・サービス無線ベアラのソースである無線ネットワークへリクエストを伝送することを含む。移動局が非フィードバック動作モードで動作している場合、発生および伝送はアップリンク無線ブロックをリクエストするために無線ネットワークへリクエスト・メッセージを送信することを含み、この方法はさらに、アップリンク無線ブロックの割り当てを無線ネットワークから受けること；割り当てられたアップリンク無線ブロックで、移動局の識別情報およびStop Receiving MBMS Radio Bearerパラメータを含むMBMS SERVICE REQUESTメッセージを、無線ネットワークへ送信すること；および、移動局の識別情報と、Stop Receiving MBMS Radio Bearerと定義されたTBF_RELEASE_CAUSE値とを含むPACKET TBF RELEASEメッセージを、無線ネットワークから受信することを含む。移動局がフィードバック動作モードで動作している場合には、発生および伝送は、フィードバック関連のメッセージ中で、移動局の識別情報およびStop Receiving MBMS Radio Bearerパラメータを無線ネットワークへ送信することを含み、この方法は、移動局の識別情報と、Stop Receiving MBMS Radio Bearerと定義されたTBF_RELEASE_CAUSE値とを含むPACKET TBF RELEASEメッセージを、無線ネットワークから受信することをさらに含む。
【００２１】
本発明の例示的実施形態の前述した態様およびその他の態様は、以下の詳細な説明を添付の図面と併せて読むことでさらに明らかとなる。
【詳細な説明】
【００２２】
例示的実施形態の一目的は、上記の問題に対処すること、およびＭＳによるＭＢＭＳサービス・ベアラの受信停止（終了）に固有の問題に対する解決策を提示することであるが、これに限定はされない。本発明の例示的実施形態は、図１および２に概略図として示されているＭＢＭＳ通知手順中およびデータ伝達手順中に活用する形で採用することができる。
【００２３】
図３を参照すると、ダウンリンク（ＤＬ：downlink）で、移動局（ＭＳ）２０ともされている移動ノードへの伝達を行うための少なくとも１つの無線（無線周波ＲＦ）送受信機およびアンテナ１０Ｂを有する、基地局サブシステム（ＢＳＳ：Base Station Subsystem）１０Ａなどのネットワーク・ノードを含む、無線ネットワーク１０が例示されているが、これに限定されるわけではない。送受信機およびアンテナ１０Ｂは、アップリンク（ＵＬ：uplink）でＭＳ２０からの伝送も受信する。ネットワーク・ノード（ＢＳＳ１０Ａなど）は、半導体記憶装置などの記憶装置１１Ｂにつながれた少なくとも１つのデータ・プロセッサ（ＤＰ：data processor）１１Ａを含むと想定される。以下でさらに詳しく説明するとおり、記憶装置１１Ｂは、本発明の例示的実施形態に従ってＤＰ１１Ａを操作するために、コンピュータ・プログラムを格納している。ＭＳ２０は、少なくとも１つの適切なアンテナおよび無線送受信機２０Ａ、ならびに半導体記憶装置などの記憶装置２０Ｃにつながれた少なくとも１つのデータ・プロセッサ（ＤＰ）２０Ｂを含むと想定される。以下でさらに詳しく説明するとおり、記憶装置２０Ｃは、本発明の例示的実施形態に従ってＤＰ２０Ａを操作するよう、コンピュータ・プログラムを格納している。ＭＳ２０は、キーパッド、キーボード、および／またはタッチ・センシティブ・ディスプレイ画面、および／または音声駆動などの視覚表示手段ならびにユーザ入力手段などを有するものなど、適切なユーザ・インタフェース（ＵＩ：user interface）２０Ｄも含むとよい。ネットワーク１０は、上記のＭＢＭＳモードで、ＭＳ２０と共に動作できると想定される。
【００２４】
一般に、ＭＳ２０の種々の実施形態は、セル方式電話、無線通信機能を有する携帯情報端末（ＰＤＡ：personal digital assistant）、無線通信機能を有する携帯用コンピュータ、無線通信機能を有するデジタル・カメラなどの画像キャプチャ・デバイス、無線通信機能を有するゲーム機、無線通信機能を有する音楽記憶再生機器、無線でのインターネット・アクセスおよびブラウジングが可能なインターネット機器、ならびにそのような機能の組み合わせが組み込まれた携帯用ユニットまたは携帯端末を含み得るが、これらに限定はされない。
【００２５】
一般に、本発明の例示的実施形態は、ネットワーク・ノード１０ＡのＤＰ１１Ａにより、ＭＳ２０のＤＰ２０Ｂにより、もしくはハードウェアにより実行可能なコンピュータ・ソフトウェアによってか、またはソフトウェア、ハードウェアおよび／もしくはファームウェアの組み合わせによって実施されるとよい。
【００２６】
記憶装置１１Ｂ、２０Ｃは、ローカル技術環境に適した任意の種類でよく、例えば、これらに限定はされないが、半導体ベースの記憶デバイス、磁気記憶デバイスおよび磁気記憶システム、光学記憶デバイスおよび光学記憶システム、固定記憶装置および取り外し可能な記憶装置など、任意の適切なデータ保存技術を使用して実施されるとよい。ＤＰ１１ＡおよびＤＰ２０Ｂは、ローカル技術環境に適した任意の種類でよく、例えば、これらに限定はされないが、汎用コンピュータ、専用コンピュータ、マイクロプロセッサ、デジタル信号プロセッサ（DSP: digital signal processor）、マルチコア・プロセッサ構造に基づくプロセッサなどのうち、１つ以上を含むとよい。
【００２７】
ＭＳ２０で発生されるＭＢＭＳサービス・ベアラの受信停止は、少なくともシステムの単純性を考慮すれば、ネットワーク１０により開始されるＭＢＭＳ無線ベアラの解放について現在指定されているように、データ伝達手順のみに制限することが妥当であろう。しかし、ＵＩ２０Ｄの設計という観点からすると、ＭＳ２０が、ＴＭＧＩ（Temporary Mobile Group Identity：一時的モバイル・グループ識別子）、セッションＩＤ（利用可能な場合）、MBMS_BEARER_IDおよびＰ−ｔ−Ｍチャネル記述パラメータと共に、MBMS ASSIGNMENTメッセージを正確に受信するまで、所定のセッションが開始されたことをユーザに通知することは不可能であると思われる。
【００２８】
別の手法では、ＭＢＭＳサービス受信に関する好みをユーザが設定するためのオプションをＵＩ２０Ｄに指定して、ＭＢＭＳベアラの受信停止を通知手順中ユーザの介入なく自動的に行えるようにすることが考えられる。ユーザは、参加手順を実行していても何らかの理由でＭＢＭＳサービスを受信しないことを希望する場合、この手法を用いる。この動作を使用することで、頻繁に繰り返される宣伝またはセッションを回避できるため、この動作は、ＭＢＭＳブロードキャスト・モードで特に有益である。
【００２９】
本発明の例示的実施形態は、ＭＢＭＳサービス・ベアラの受信停止（終了）に役立つよう、より具体的には、所定のＭＢＭＳベアラの特定セッションの受信を停止するために採用されるとよい。なお、ＭＢＭＳベアラの場合は、離脱手順の方が好ましいこともある。
【００３０】
ここからは、通知手順中またはデータ伝達手順中の、信号伝達を通じた、ＭＳ２０から発生されるＭＢＭＳサービス・ベアラの受信停止の例について説明する。
【００３１】
まず、ＭＳ２０がフィードバック・モードにない場合について説明する。
【００３２】
ＭＳ２０がフィードバック・モードにない場合は、ＭＢＭＳデータの伝達手順中に、ＭＳ２０ソフトウェアの上層がＭＢＭＳ無線ベアラの受信停止をリクエストするとよい。図４は、ＭＳ２０から発生する形でどのように信号伝達を実行できるかを表す。図４において、ＲＡＣＨはランダム・アクセス・チャネル（Random Access Channel）、ＡＧＣＨはアクセス許可チャネル（Access Grant Channel）である。ＭＢＭＳ無線ベアラの受信を停止するためのパケット・アクセスは、（Ｐ）ＲＡＣＨ上、または割り当てられている場合はＭＰＲＡＣＨ上で、単一のアップリンク・ブロックをリクエストするためのアクセス理由「Single Block MBMS Access（単一ブロックＭＢＭＳアクセス）」と共に(PACKET) CHANNEL REQUESTメッセージを送信することで、ＭＳ２０により開始される（工程４Ａ）。
【００３３】
(PACKET) CHANNEL REQUESTメッセージが、アクセス理由「Single Block MBMS Access」と共にネットワーク１０により受信されると、ネットワーク１０は、ＭＳ２０に１つのアップリンク・ブロックを割り当てるために、IMMEDIATE ASSIGNMENTメッセージをＡＧＣＨ上で（またはPACKET UPLINK ASSIGNMENTメッセージをパケット・アクセス許可チャネル（PAGCH: PACKET Access Grant Channel）上で）、送信する（工程４Ｂ）。
【００３４】
ＭＳ２０の(PACKET) CHANNEL REQUESTメッセージの１つに対応し、ＭＢＭＳアクセスのための１つのアップリンク無線ブロックを割り当てる、IMMEDIATE ASSIGNMENT（それぞれPACKET UPLINK ASSIGNMENT）メッセージがＭＳ２０により受信されると、ＭＳ２０はこの無線ブロックにおいて、そのＴＬＬＩ、ＴＭＧＩ、セッションのセッションＩＤ、および本発明の例に従いStop Receiving MBMS Radio Bearerパラメータを含むMBMS SERVICE REQUESTメッセージを、ネットワーク１０へ送信する（工程４Ｃ）。MBMS SERVICE REQUESTメッセージがネットワーク１０側で正確に受信されなかった場合、ネットワーク１０は、IMMEDIATE ASSIGNMENTメッセージをＡＧＣＨ上で（またはPACKET UPLINK ASSIGNMENTメッセージをＰＡＧＣＨ上で）繰り返して、ＭＳ２０にMBMS SERVICE REQUESTメッセージを再送信させればよい。
【００３５】
本来、MBMS SERVICE REQUESTメッセージは、これを使用することで、特定のセッションに興味があるＭＳ２０の数をネットワーク１０が所定のセル内において概算できることから、集計目的で指定されたものである。従って、新たに定義されたStop Receiving MBMS Radio Bearerパラメータは、MBMS SERVICE REQUESTメッセージ内に含まれてもよいが、同様に別のメッセージに含めることも可能である。
【００３６】
Stop Receiving MBMS Radio Bearerパラメータを含むMBMS SERVICE REQUESTメッセージが、ネットワーク１０により受信されると、ネットワーク１０は、新たに定義されたTBF_RELEASE_CAUSE値、およびＭＳ２０のＴＬＬＩパラメータを含む、PACKET  ＴＢＦ  ＲＬＥＡＳＥメッセージを送信する。ＴＬＬＩは、リクエスト元のＭＳ２０を、ＭＢＭＳ無線ベアラを同様に受信している他のＭＳから区別するために使用される。PACKET TBF RELEASEメッセージを従来通りに使用した場合は、このメッセージにより、ＴＢＦのみではなくＭＢＭＳ無線ベアラ全体が解放される。
【００３７】
ネットワーク１０がＭＳ２０からStop Receiving MBMS Radio Bearerの指示を受信したことを知らせるために、新たなメッセージを定義することも、または現在ある別のメッセージを使用することも、本発明の例の範囲内である。
【００３８】
本発明の例示的実施形態に従った、PACKET TBF RELEASEメッセージの変更を示す例が以下でさらに詳しく表されているが、それらに限定はされない。
【００３９】
ここでは、ＭＳ２０がフィードバック・モードにある場合について説明する。
【００４０】
ＭＳ２０がフィードバック・モードにある状態では、ＭＢＭＳデータ伝達手順中に、ＭＳ２０の上層がＭＢＭＳ無線ベアラの受信停止をリクエストするとよい。図５は、ＭＳ２０のフィードバックに基づきブロック再伝送が使用される場合、ＭＳから発生する形でどのように信号伝達を達成できるかを表す。
【００４１】
ＭＢＭＳセッション中、パケット・データ・チャネル（工程５ＡのＰＤＣＨ（PACKET Data Channel））上でダウンリンクＭＢＭＳデータが送信されるときに、ＭＳグループ中の特定のＭＳ２０をアドレス指定するために、ネットワーク１０によりＭＳ＿ＩＤが使用され、加えて、ＭＳ＿ＩＤは、特定のＭＢＭＳセッションに関係する全ＭＳの中からＭＳ２０をネットワーク１０が識別できるように、ＭＳ２０によりアップリンクで使用される。ＭＳ＿ＩＤでアドレス指定された各ＭＳ２０は、MBMS DOWNLINK ＡＣＮ／NACKメッセージを送信するよう定期的に要求されることもある。
【００４２】
さらに、本発明の例示的実施形態に従って、ＭＳ２０により送信されるMBMS DOWNLINK ACK／NACKメッセージ（工程５Ｂ）内に、新たにStop Receiving MBMS Radio Bearerパラメータが含まれる。
【００４３】
ネットワーク１０によりMBMS DOWNLINK ACK／NACKメッセージが受信されると、ネットワークは、新たなTBF_RELEASE_CAUSE値およびＭＳ２０のＴＬＬＩパラメータを含む、PACKET TBF RELEASEメッセージを送信する（工程５Ｃ）。ＴＬＬＩは、ＭＢＭＳ無線ベアラを受信するＭＳグループからＭＳ２０を区別するために使用される。現在、PACKET TBF RELEASEメッセージでは、ＭＢＭＳ無線ベアラ全体の解放しかできない。
【００４４】
ネットワーク１０がＭＳ２０からStop Receiving MBMS Radio Bearerの指示を受信したことを知らせるために、新たなメッセージを定義することも、または現在ある別のメッセージを使用することも、本発明の例示的実施形態の範囲内である。
【００４５】
本発明の例示的実施形態に従った、PACKET TBF RELEASEメッセージへの変更を示す例が以下でさらに詳しく表されているが、それに限定はされない。
【００４６】
なお、ＭＳ２０からのMBMS DOWNLINK ACK／NACKをリクエストするための期間は、実施されるネットワーク１０の機能によるものであり、そのため、長いポーリング期間により起こり得るあらゆる問題を回避するためには、ＭＳ２０によりフィードバック・モードが使用されている場合でも、ＭＳ２０が上述の例示的実施形態を使用できる必要がある。加えて、ACK／NACKのメッセージ名およびメッセージ内容は、異なるものであってもよい。
【００４７】
本発明の例示的実施形態を使用することにより実現できる利点は、ＭＳ２０の電池消耗が低減されること、ユーザにとってＭＢＭＳサービスの使用に関し自由性が追加されること、およびネットワーク１０側での無線リソースの制御が強化されることを含み得るが、これらに限定される必要はない。
【００４８】
以下は、前述した、ＭＳ−２０から発生するＭＢＭＳ無線ベアラの停止を、どう実施し得るかについての例であるが、これに限定はされない。上記の3GPP TS 44.060という文献の従属節１１．２．２６、「パケットTBF解放（Packet TBF Release）」を参照し、それを、本発明の例に従った以下の変更（太字フォントに注目のこと）と比較するとよい。以下で参照する従属節は、3GPP TS 44.060という文献内の従属節に対するものである。
【００４９】
パケットＴＢＦ解放
このメッセージは、アップリンクＴＢＦまたはダウンリンクＴＢＦの解放を開始するために、ネットワーク１０によりＭＳ２０へＰＡＣＣＨ上で送信される。
メッセージ・タイプ：PACKET TBF RELEASE
方向：              ネットワークから移動局
分類：              非分配メッセージ（non-distribution message）
【００５０】
PACKET TBF RELEASEの情報要素
【００５１】
【表１】
2008535353.tif 000003
【００５２】
PACKET_TBF_RELEASEの情報要素の詳細
PAGE_MODE（２ビット・フィールド）
このフィールドは、従属節１２．２０で定義されている。
Global TFI IE
この情報要素は、移動局のアップリンクＴＢＦおよび／またはダウンリンクＴＢＦのどれが解放されるかについてのＴＦＩを含む。このフィールドは、従属節１２．１０で定義されている。
Uplink_Release（１ビット・フィールド）
Downlink_Release（１ビット・フィールド）
これらのフィールドは、アップリンクまたはダウンリンクどちらのＴＢＦが解放されるかを示す。両方向が同時に解放されることも可能である。
０      ＴＢＦは解放されない
１      ＴＢＦは解放される
【００５３】
TBF_RELEASE_CAUSE（４ビット・フィールド）
このフィールドは、ＴＢＦの解放理由を示す。このフィールドは以下の表に従って符号化される。
ビット
４３２１  
００００  正常解放
００１０  異常解放
０１００  ＭＢＭＳ無線ベアラの受信を停止
他の値は全て予備とされ、「異常解放」の受信と同じ動作となる。
【００５４】
ＴＬＬＩ
この情報要素は、従属節１２．１６で定義されている。
【００５５】
「ＭＢＭＳ無線ベアラの受信停止」を指示する、０１００というTBF_RELEASE_CAUSEのフィールド値は、PACKET TBF RELEASEメッセージの対象であるＭＳ２０を一意的に識別するためのＴＬＬＩのように、本発明の例に従って新たに追加されており、上記の通りに機能する。
【００５６】
本発明の例はその一態様において、非フィードバック・モードまたはフィードバック・モードのどちらにあっても、ＭＢＭＳ無線ベアラの受信を停止するためのネットワーク１０へのリクエストをＭＳ２０が発生できるようにするための、方法、装置およびコンピュータ・プログラムを提供するということが理解できる。
【００５７】
さらに、本発明の例はその別の態様において、非フィードバック・モードまたはフィードバック・モードのどちらにあっても、ＭＳから発生したＭＢＭＳ無線ベアラの受信を停止するためのリクエストにネットワーク１０が応え、ＭＢＭＳ無線ベアラの受信からＭＳ２０を解放できるようにするための、方法、装置、コンピュータ・プログラムを提供するということが理解できる。
【００５８】
前述の説明では、限定する意味のない具体的な例として、本発明の例示的実施形態についての詳しい説明を十分に提供してきた。しかし、添付の図面および添付の請求項と関連して前述の説明を読み、考慮すれば、当業者はすぐに種々の変更および適応を見出すであろう。例えば、上記の通り、他のメッセージ・タイプおよび／または情報要素が、本発明の例示的実施形態を実施するために使用および／または定義されてもよい。なお、このような変更および類似の変更はいずれも、やはり本発明の例示的実施形態の範囲に入る。
【００５９】
さらに、本発明の例示的実施形態の一部の特徴を、他の特徴の使用を伴わずに使用し、役立ててもよい。このように、上記の説明は、本発明の原理、教示、例、例示的実施形態を説明するに過ぎず、本発明を限定するものではないと見なされるべきである。
【図面の簡単な説明】
【００６０】
【図１】ＭＢＭＳマルチキャスト・サービス提供の種々の段階である。
【図２】ＭＢＭＳブロードキャスト・サービス提供の種々の段階である。
【図３】本発明の例示的実施形態を実践するのに適した一実施形態である、移動ノードへつながれたネットワーク・ノードを示すブロック図である。
【図４】非フィードバック動作モード向けの本発明の例示的実施形態に従った、ＭＳから発生するＭＢＭＳ無線ベアラの受信停止を示す、メッセージ・フロー図である。
【図５】フィードバック動作モード向けの例示的実施形態に従った、ＭＳから発生するＭＢＭＳ無線ベアラの受信停止を示す、メッセージ・フロー図である。
【図１】
2008535353.tif 000004
【図２】
2008535353.tif 000005
【図３】
2008535353.tif 000006
【図４】
2008535353.tif 000007
【図５】
2008535353.tif 000008
【国際調査報告】
2008535353.tif 000009
2008535353.tif 000010
2008535353.tif 000011